【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
認証対象の情報端末に認証画面を表示させる手段と、
前記情報端末の操作情報に基づいて、前記認証画面における位置情報を順次取得する位置情報取得手段と、
前記位置情報取得手段により順次取得される位置情報の軌跡を記録する記録手段と、
前記認証画面における予め定められた複数の位置を所定の直線と曲線との少なくともいずれかで結んで構成した基準の軌跡に対する前記記録手段により記録した軌跡の変動量に基づいて、前記操作情報が人により行われた操作であるか否かを判定する判定手段と、
を含むことを特徴とする認証システム。
【請求項２】
前記判定手段は、前記認証画面について定められた基準の軌跡に対する前記記録手段により記録した軌跡の変位量の分散値が閾値以上である場合に、前記操作情報が人により行われた操作であると判定する
ことを特徴とする請求項１に記載の認証システム。
【請求項３】
前記記録手段は、前記位置情報取得手段により取得される位置情報が、前記認証画面において定められた目標位置で停止するまでの前記位置情報の軌跡を記録する
ことを特徴とする請求項１又は２に記載の認証システム。
【請求項４】
前記位置情報取得手段により取得される位置情報が、前記目標位置で停止するまでの時間を計測する計測手段をさらに含み、
前記判定手段は、前記計測手段により計測された時間が所定時間よりも短い場合には、前記操作情報が人により行われた操作でないと判定する
ことを特徴とする請求項３に記載の認証システム。
【請求項５】
前記認証画面には、所定オブジェクトと、当該所定オブジェクトの目標位置が表示され、
前記位置情報は、前記認証画面における前記所定のオブジェクトを表示する位置情報であり、
前記位置情報取得手段は、前記情報端末に備えられる加速度センサーにより順次検知される加速度データに基づいて、前記認証画面における前記所定オブジェクトの位置を順次更新し取得する
ことを特徴とする請求項３又は４に記載の認証システム。
【請求項６】
前記認証画面には、所定の方位を示す方位指示オブジェクトと、当該方位指定オブジェクトの目標位置が表示され、
前記位置情報は、前記認証画面における前記方位指示オブジェクトを表示する位置情報であり、
前記位置情報取得手段は、前記情報端末に備えられる方位検知センサーにより順次検知される方位データに基づいて、前記認証画面における前記方位指示オブジェクトの位置情報を順次取得する
ことを特徴とする請求項３又は４に記載の認証システム。
【請求項７】
前記位置情報は、前記認証画面の一部を指示する指示位置であり、
前記位置情報取得手段は、前記情報端末に備えられる前記認証画面を表示する表示手段の接触位置を検知する接触位置検知手段により順次検知される接触位置に基づいて、前記認証画面における指示位置を順次取得する
ことを特徴とする請求項３又は４に記載の認証システム。
【請求項８】
認証対象の情報端末に認証画面を表示させるステップと、
前記情報端末の操作情報に基づいて、前記認証画面における位置情報を順次取得する位置情報取得ステップと、
前記位置情報取得ステップで順次取得される位置情報の軌跡を記録する記録ステップと、
前記認証画面における予め定められた複数の位置を所定の直線と曲線との少なくともいずれかで結んで構成した基準の軌跡に対する前記記録ステップで記録した軌跡の変動量に基づいて、前記操作情報が人により行われた操作であるか否かを判定する判定ステップと、
を含むことを特徴とする認証方法。
【請求項９】
認証対象の情報端末に認証画面を表示させる手段と、
前記情報端末の操作情報に基づいて取得される、前記認証画面における位置情報の軌跡を取得する取得手段と、
前記認証画面における予め定められた複数の位置を所定の直線と曲線との少なくともいずれかで結んで構成した基準の軌跡に対する前記取得手段により取得した軌跡の変動量に基づいて、前記操作情報が人により行われた操作であるか否かを判定する判定手段と、
を含むことを特徴とする認証装置。
【請求項１０】
認証対象の情報端末に認証画面を表示させる手段と、
前記情報端末の操作情報に基づいて取得される、前記認証画面における位置情報の軌跡を取得する取得手段と、
前記認証画面における予め定められた複数の位置を所定の直線と曲線との少なくともいずれかで結んで構成した基準の軌跡に対する前記取得手段により取得した軌跡の変動量に基づいて、前記操作情報が人により行われた操作であるか否かを判定する判定手段
としてコンピュータを機能させるためのプログラム。
【請求項１１】
認証対象の情報端末に認証画面を表示させる手段と、
前記情報端末の操作情報に基づいて取得される、前記認証画面における位置情報の軌跡を取得する取得手段と、
前記認証画面における予め定められた複数の位置を所定の直線と曲線との少なくともいずれかで結んで構成した基準の軌跡に対する前記取得手段により取得した軌跡の変動量に基づいて、前記操作情報が人により行われた操作であるか否かを判定する判定手段
としてコンピュータを機能させるためのプログラムを記録した情報記録媒体。
【請求項１２】
認証装置から取得した認証画面のデータに基づいて、前記認証画面を表示する表示手段と、
受け付けた操作情報に基づいて、前記認証画面における位置情報を順次取得する位置情報取得手段と、
前記位置情報取得手段により順次取得される位置情報の軌跡を記録する記録手段と、
前記記録手段により記録した軌跡の情報を前記認証装置に送信する送信手段と、
前記認証画面における予め定められた複数の位置を所定の直線と曲線との少なくともいずれかで結んで構成した基準の軌跡に対する前記記録手段により記録した軌跡の変動量に基づいて、前記操作情報が人により行われた操作であるか否かを判定した判定結果を前記認証装置から取得する判定結果取得手段と、
を含むことを特徴とする情報端末。
【請求項１３】
認証装置から取得した認証画面のデータに基づいて、前記認証画面を表示する表示手段と、
受け付けた操作情報に基づいて、前記認証画面における位置情報を順次取得する位置情報取得手段と、
前記位置情報取得手段により順次取得される位置情報の軌跡を記録する記録手段と、
前記記録手段により記録した軌跡の情報を前記認証装置に送信する送信手段と、
前記認証画面における予め定められた複数の位置を所定の直線と曲線との少なくともいずれかで結んで構成した基準の軌跡に対する前記記録手段により記録した軌跡の変動量に基づいて、前記操作情報が人により行われた操作であるか否かを判定した判定結果を前記認証装置から取得する判定結果取得手段
としてコンピュータを機能させるためのプログラム。
【請求項１４】
認証装置から取得した認証画面のデータに基づいて、前記認証画面を表示する表示手段と、
受け付けた操作情報に基づいて、前記認証画面における位置情報を順次取得する位置情報取得手段と、
前記位置情報取得手段により順次取得される位置情報の軌跡を記録する記録手段と、
前記記録手段により記録した軌跡の情報を前記認証装置に送信する送信手段と、
前記認証画面における予め定められた複数の位置を所定の直線と曲線との少なくともいずれかで結んで構成した基準の軌跡に対する前記記録手段により記録した軌跡の変動量に基づいて、前記操作情報が人により行われた操作であるか否かを判定した判定結果を前記認証装置から取得する判定結果取得手段
としてコンピュータを機能させるためのプログラムを記録した情報記録媒体。